(57)【要約】      （修正有）【課題】迷子になった犬や猫などの動物の情報を瞬時に特定することができる動物情報特定部を保持して動物の首輪に容易に装着できる動物情報特定部用ホルダを提供する。【解決手段】動物に関する情報を特定するための動物情報特定部１２を保持し、動物の首輪に装着可能な動物情報特定部用ホルダ１０であって、前記動物情報特定部１２を収容可能な収容部１４と、前記収容部１４を前記首輪に装着する装着部１６と、を有し、前記装着部１６は、前記首輪に巻き付け可能なベース部１６Ａと、該ベース部１６Ａの端部同士を結合させベース部１６Ａが前記首輪に巻き付いた状態を維持する結合部１６Ｂと、を有する。【選択図】図１
0003153980.tif 000002
【実用新案登録請求の範囲】
【請求項１】
動物に関する情報を特定するための動物情報特定部を保持し、動物の首輪に装着可能な動物情報特定部用ホルダであって、
前記動物情報特定部を収容可能な収容部と、
前記収容部を前記首輪に装着する装着部と、
を有し、
前記装着部は、前記首輪に巻き付け可能なベース部と、前記ベース部の端部同士を結合させ前記ベース部が前記首輪に巻き付いた状態を維持する結合部と、を有することを特徴とする動物情報特定部用ホルダ。
【請求項２】
前記収容部は、前記ベース部との間に挿入された前記動物情報特定部を保持する保持部であることを特徴とする請求項１に記載の動物情報特定部用ホルダ。
【請求項３】
前記保持部は、前記ベース部との間で内部空間部を形成し、
前記保持部は、
前記内部空間部に配置された前記動物情報特定部を覆い外部と遮断するカバー部と、
前記カバー部に形成され前記動物情報特定部を外部から前記内部空間部に導く切口部と、
を有することを特徴とする請求項２に記載の動物情報特定部用ホルダ。
【請求項４】
前記収容部は、前記ベース部の表面又は裏面の一方に設けられ、
前記ベース部の表面又は裏面の他方に、前記収容部と前記ベース部との間に挿入された前記動物情報特定部の端部を前記ベース部の表面又は裏面の他方に折り曲げ、当該折り曲げた折曲部位を挿入して保持するための挟持部を有することを特徴とする請求項１又は２に記載の動物情報特定部用ホルダ。
【考案の詳細な説明】
【技術分野】
【０００１】
本考案は、犬や猫などの動物の情報（「狂犬病予防注射済票」および飼い主の連絡先を記した迷子札）を表示した動物情報特定部を保持して動物の首輪に容易に装着できる動物情報特定部用ホルダに関する。
【背景技術】
【０００２】
犬や猫などのペットブームといわれて久しいが、放し飼い、遺棄（捨てること）、逸走などにより、毎年、多くのペットが日本全国で保護・捕獲され、保健所や動物愛護センターなど行政の施設（以下、保健所等という）に収容されている。収容された所有者不明の犬猫は、２日の公示期間に飼い主が名乗り出ない場合、自治体ごとに定められた所定の収容日数が経過すると殺処分され、犬の尊い命が奪われる現実がある一方で、行政の施設における収容・処分費用もばかにならない額になっている。
【先行技術文献】
【特許文献】
【０００３】
【特許文献１】特開２００１−２２４２６８号公報
【考案の概要】
【考案が解決しようとする課題】
【０００４】
現状の問題点として、飼い犬猫がいなくなった場合、飼い主はそのうち自ずから帰って来ることを期待して、すぐに警察や保健所等に届けを出さない場合が多い。また、迷子になり放浪している犬を保健所等が捕獲・保護・収容した際、その犬の首輪に鑑札、狂犬病予防注射済票、迷子札といった飼い主を特定する情報が一切付加されていないことがほとんどのため、飼い主に通知することができない状態である。保健所等における公示期間は２日間で、その間に飼い主からの連絡がなく、かつ飼い主を特定する情報もないために、多くの収容犬猫が空しく殺処分されてしまう現実がある。
【０００５】
すべての飼い犬は、狂犬病予防法に基き市町村に飼い犬登録を行い、交付される「鑑札」を首に着けるように指導されている。また毎年、狂犬病の予防注射を受け、その際に交付される「狂犬病予防注射済票」もあわせて首輪に装着することが指導されている。全国で飼育されている犬の頭数は1000万頭を越えていると推定されているが、飼い犬の登録と狂犬病予防注射の実施率は60％程度と推定されており、大半の犬に飼い主を特定する鑑札や注射済票が装着されていない。猫については、狂犬病予防法は適用されないため、登録・注射の制度がなく、首輪等が装着されることもほとんどない。そのため、迷子になった犬や猫が保健所等に保護・収容された場合、飼い主に返還できないため処分されることは、飼い主にとっても動物にとっても不幸なことである。また行政の側でも、保護・収容・処分にかかる費用を軽減させるため、犬猫の返還率を高め殺処分数を減少させる施策を推進することが課題となっている。
【０００６】
2007年度には全国で約8.6万頭の迷子・放浪犬が行政に捕獲・収容されたが、飼い主に返還された犬は約1.6万頭で、返還されなかった7万頭のほとんどが殺処分された。犬の返還率はわずか18.6％である。猫にいたっては所有者不明の猫の引き取り数約11万3000匹のうち飼い主に返還された数はわずか180匹で、返還率は0.15％にすぎない（地球生物会議の全国動物行政調査による）。少なくともすべての飼い犬猫に身元の確認ができる鑑札、注射済票とともに、飼い主の連絡先を記した迷子札（猫の場合は迷子札のみ）の装着の徹底をはかり、脱走・迷子の場合も速やかに飼い主の元へ返還できるようにすれば、犬猫の殺処分数を大幅に減少させることができる。
【０００７】
そこで、本考案は、迷子になった犬や猫などの動物の情報を瞬時に特定することができる動物情報特定部を保持して、動物の首輪に容易に装着できる動物情報特定部用ホルダを提供する。
【課題を解決するための手段】
【０００８】
本考案は、動物に関する情報を特定するための動物情報特定部を保持し、動物の首輪に装着可能な動物情報特定部用ホルダであって、前記動物情報特定部を収容可能な収容部と、前記収容部を前記首輪に装着する装着部と、を有し、前記装着部は、前記首輪に巻き付け可能なベース部と、前記ベース部の端部同士を結合させ前記ベース部が前記首輪に巻き付いた状態を維持する結合部と、を有することを特徴とする。
【０００９】
また、この場合、前記収容部は、前記ベース部との間に挿入された前記動物情報特定部を保持する保持部であることが好ましい。
【００１０】
さらにこの場合、前記保持部は、前記ベース部との間で内部空間部を形成し、前記保持部は、前記内部空間部に配置された前記動物情報特定部を覆い外部と遮断するカバー部と、前記カバー部に形成され前記動物情報特定部を外部から前記内部空間部に導く切口部と、を有することが好ましい。
【００１１】
なお、前記収容部は、前記ベース部の表面又は裏面の一方に設けられ、前記ベース部の表面又は裏面の他方に、前記収容部と前記ベース部との間に挿入された前記動物情報特定部の端部を前記ベース部の表面又は裏面の他方に折り曲げ、当該折り曲げた折曲部位を挿入して保持するための挟持部を有することが好ましい。
【考案の効果】
【００１２】
本考案によれば、迷子になった犬や猫などの動物の情報を瞬時に特定することができる動物情報特定部を保持して動物の首輪に容易に装着できる。
【図面の簡単な説明】
【００１３】
【図１】本考案の第１実施形態に係る動物情報特定部用ホルダを正面から見た構成図である。
【図２】本考案の第１実施形態に係る動物情報特定部用ホルダが首輪に装着されるときの一例となる工程を示した説明図である。
【図３】本考案の第１実施形態に係る動物情報特定部用ホルダが犬の首輪に装着されるときの概念図である。
【図４】本考案の第２実施形態に係る動物情報特定部用ホルダに動物情報特定部が収容されていく手順を示した説明図である。
【図５】本考案の第３実施形態に係る動物情報特定部用ホルダに動物情報特定部が収容されていく手順を示した説明図である。
【考案を実施するための形態】
【００１４】
本考案の第１実施形態に係る動物情報特定部用ホルダについて、図面を参照して説明する。なお、以下の実施形態では、動物として「犬」を例示し、犬の首輪に装着可能な動物情報特定部用ホルダについて説明する。なお、動物は、「犬」に限られるものではなく、「猫」などの他の動物でもよく、これらの動物の首輪に本考案の動物情報特定部用ホルダを装着することができる。
【００１５】
図１乃至図３に示すように、動物情報特定部用ホルダ１０は、犬Ｄに関する情報を特定するための動物情報特定部１２を収容可能（保持可能）な収容部１４と、収容部１４を犬Ｄの首輪１８に装着する装着部１６と、で構成されている。
【００１６】
動物情報特定部１２は、一枚又は複数枚の長方形状のカードであり、その表面には、その年度に行われた狂犬病予防注射済を証明する情報、あるいはこの犬Ｄの飼い主の氏名や住所、電話番号などの連絡先を記した情報のいずれかが記載されている。また、動物情報特定部１２の裏面にも、この犬Ｄの注射済票もしくは飼い主の連絡先等のいずれかが記載されている。なお、動物情報特定部１２が複数枚で構成される場合には、１枚目に狂犬病予防接種済みなどを証明する情報が記載され、２枚目にこの犬Ｄの飼い主の氏名や住所、電話番号などの連絡先が記載される。このように、動物情報特定部１２には、犬Ｄが過去に受けた予防注射（接種済みの注射）に関する内容や飼い主の連絡先が記載されており、犬Ｄに関する情報を容易に特定することができる。なお、動物情報特定部１２は、注射済票はアルミ製であるが、飼い主の連絡先を記したカードは材質について特に限定されるものではない。また、犬Ｄに関する情報は、予防接種の有無や飼い主の連絡先に限定されるものではなく、犬Ｄを特定するようなあらゆる情報を含むものである。
【００１７】
装着部１６は、犬Ｄの首輪１８に巻き付け可能なベース部１６Ａと、ベース部１６Ａの端部同士を結合させベース部１６Ａが首輪１８に巻き付いた状態を維持する結合部１６Ｂと、を有している。ベース部１６Ａは、長方形状に形成されており、例えば、塩化ビニールまたはアクリル繊維（ナイロン）等で構成されている。ベース部１６Ａには、略同一の表面積を有する３つの領域部を有している。３つの領域部は、第１領域部１６Ａ１と、第２領域部１６Ａ２と、第３領域部１６Ａ３と、で構成されている。第１領域部１６Ａ１と第３領域部１６Ａ３は、装着部１６を首輪１８に装着したときに、首輪１８の裏側に巻き回される部位である。ここで、第１領域部１６Ａ１及び第３領域部１６Ａ３には、結合部１６Ｂが設けられている。具体的には、第１領域部１６Ａ１の表面には、一方側の結合部１６Ｂ１が取り付けられている。また、第３領域部１６Ａ３の裏面には、他方側の結合部１６Ｂ２が取り付けられている。一方側の結合部１６Ｂ１及び他方側の結合部１６Ｂ２は、一例として、長方形状のマジックテープ(登録商標)が採用される。なお、一方側の結合部１６Ｂ１及び他方側の結合部１６Ｂ２は、ベース部１６Ａの第１領域部１６Ａ１及び第３領域部１６Ａ３に対して接着されて取り付けられていても良いし、縫い付けられていても良い。また、結合部１６Ｂは、マジックテープ(登録商標)以外の構成のもの、例えば、ボタンや磁石などを用いても良い。
【００１８】
収容部１４は、ベース部１６Ａとの間に挿入された動物情報特定部１２を保持する保持部１４Ａ１、１４Ａ２を有している。具体的には、収容部１４（保持部１４Ａ１、１４Ａ２）は、ベース部１６Ａの第２領域部１６Ａ２の表面及び裏面にそれぞれ設けられている。保持部１４Ａ１、１４Ａ２とベース部１６Ａの第２領域部１６Ａ２との間には、動物情報特定部１２を挿入可能な隙間が形成されている。このため、保持部１４Ａ１、１４Ａ２により、保持部１４Ａ１、１４Ａ２とベース部１６Ａの第２領域部１６Ａ２との間に挿入された動物情報特定部１２を保持することができる。また、保持部１４Ａ１、１４Ａ２の端部とベース部１６Ａの第２領域部１６Ａ２とは、動物情報特定部１２が差し込み可能な進入口１４Ｂ１、１４Ｂ２が形成されている。保持部１４Ａ１、１４Ａ２（収容部１４）は、透明のビニール素材で構成されており、内部に挿入された動物情報特定部１２を保持部１４Ａ１、１４Ａ２の上から視認可能となるように構成されている。なお、保持部１４Ａ１、１４Ａ２（収容部１４）は、ベース部１６Ａの第２領域部１６Ａ２に対して接着されて取り付けられていても良いし、縫い付けられていてもよい。また、保持部１４Ａ１、１４Ａ２（収容部１４）のいずれか一方のみを取り付けた構成でも良い。保持部１４Ａ１、１４Ａ２（収容部１４）の両方を取り付けた構成では、動物情報特定部１２が複数枚で構成された場合、１枚目の動物情報特定部１２（狂犬病予防接種済みなどを証明する情報が記載された動物情報特定部１２）が保持部１４Ａ１に収容され、２枚目の動物情報特定部１２（この犬Ｄの飼い主の氏名や住所、電話番号などの連絡先が記載された動物情報特定部１２）が保持部１４Ａ２に収容される。
【００１９】
本考案の第１実施形態に係る動物情報特定部用ホルダ１０の作用について説明する。
【００２０】
図１乃至図３に示すように、予め収容部１４の保持部１４Ａ１（１４Ａ２）とベース部１６Ａの第２領域部１６Ａ２との間に動物情報特定部１２を挿入して、ベース部１６Ａの第２領域部１６Ａ２を首輪１８の側面にあて、ベース部１６Ａの第１領域部１６Ａ１と第３領域部１６Ａ３を首輪１８の裏側（犬Ｄの首側）に巻き回す。そして、ベース部１６Ａの第１領域部１６Ａ１に取り付けられた一方側の結合部１６Ｂ１とベース部１６Ａの第３領域部１６Ａ３に取り付けられた他方側の結合部１６Ｂ２とが面接するようにして調整した後、両者を結合させる。一方側の結合部１６Ｂ１と他方側の結合部１６Ｂ２とは、マジックテープ(登録商標)で構成されているため、相互に強固に結合する。また、動物情報特定部用ホルダ１０を首輪１８から取り外す際には、一方側の結合部１６Ｂ１と他方側の結合部１６Ｂ２との結合状態を容易に解消することができる。なお、動物情報特定部用ホルダ１０は、犬Ｄから取り外れた首輪１８に対して直接装着することもでき、また、犬Ｄに取り付けられた状態の首輪１８に対しても直接装着することができる。特に、犬Ｄに取り付けられた状態の首輪１８に対して動物情報特定部用ホルダ１０を装着する場合には、ベース部１６Ａの第１領域部１６Ａ１と第３領域部１６Ａ３を首輪１８の裏側（犬Ｄの首側）に巻き回して、一方側の結合部１６Ｂ１と他方側の結合部１６Ｂ２とを結合させるだけで済むため、動物情報特定部用ホルダ１０の装着が一層容易になる。
【００２１】
以上のようにして、犬Ｄに首輪１８を取り付けた状態で、その首輪１８に動物情報特定部用ホルダ１０を容易に装着することができる。そして、動物情報特定部用ホルダ１０には、犬Ｄに関する情報（狂犬病の予防注射済票あるいは、犬Ｄの飼い主の連絡先など）が動物情報特定部１２に記載されているため、犬Ｄが迷子になった場合には、それを発見した者が速やかに飼い主に連絡を取り犬Ｄを引き渡すことができる。また、行政が徘徊・放浪犬等を捕獲した場合に、注射済票を確認して速やかにこの犬Ｄの飼い主を特定することができ、飼い主が不明なために空しく犬を殺処分せざるを得ないという社会的コストを大幅に削減することができる。特に、収容部１４（保持部１４Ａ１、１４Ａ２）は、透明になっているため、動物情報特定部１２が収容部１４（保持部１４Ａ１、１４Ａ２）に収容された状態でも、動物情報特定部１２に記載されている内容を確認することができる。
【００２２】
特に、収容部１４は、ベース部１６Ａの第２領域部１６Ａ２の表面及び裏面の両方に設けられているため、動物情報特定部用ホルダ１０の表裏が逆になった場合でも、動物情報特定部用ホルダ１０を首輪１８に装着することができる。この結果、動物情報特定部用ホルダ１０の首輪１８に対する取付自由度を向上させ、取り付けに要する手間を大幅に省くことができる。
【００２３】
次に、本考案の第２実施形態に係る動物情報特定部用ホルダについて、図面を参照して説明する。なお、以下の説明では、第１実施形態に係る動物情報特定部用ホルダ１０の構成と重複する構成については同符号を付し、適宜、説明を省略する。
【００２４】
図４に示すように、第２実施形態に係る動物情報特定部用ホルダは、第１実施形態に係る動物情報特定部用ホルダ１０と比較して、収容部の構成が異なっている。すなわち、収容部１４の保持部１４Ａ１は、ベース部１６Ａとの間で内部空間部Ｍを形成し、内部空間部Ｍに配置（収容、挿入）された動物情報特定部１２を覆い外部と遮断するカバー部１５と、カバー部１５に形成され動物情報特定部１２を内部空間部Ｍに導く切口部１７と、を有している。
【００２５】
具体的には、カバー部１５は、内部空間部Ｍに配置された動物情報特定部１２の大部分を覆う第１カバー部１５Ａ１と、内部空間部Ｍに配置された動物情報特定部１２の一部分を覆う第２カバー部１５Ａ２と、で構成されている。第１カバー部１５Ａ１と第２カバー部１５Ａ２との境界部位には、１本の直線状の上記切口部１７が形成されている。
【００２６】
第２実施形態に係る動物情報特定部用ホルダによれば、動物情報特定部１２を切口部１７から内部空間部Ｍに差し込むようにして挿入する。そして、動物情報特定部１２の全体を内部空間部Ｍに挿入すると、動物情報特定部１２は、第１カバー部１５Ａ１と第２カバー部１５Ａ２とで完全に囲まれた状態になり、外部と遮断される。このようにして、動物情報特定部１２がカバー部１５の内部空間部Ｍに配置される。ここで、切口部１７が直線状になっているため、第１カバー部１５Ａ１と第２カバー部１５Ａ２とで完全に収容された動物情報特定部１２は、犬Ｄが動いた場合でも、切口部１７から外部に飛び出して内部空間部Ｍから脱落することがない。この結果、動物情報特定部１２を確実に保持することができる。さらに、動物情報特定部１２は、第１カバー部１５Ａ１と第２カバー部１５Ａ２とで完全に囲まれた状態になっているため、雨などの浸入も防止できる。このため、動物情報特定部１２が紙で構成されている場合に、動物情報特定部１２にカビが生じたり、動物情報特定部１２が腐食（破損）してしまうことを防止できる。
【００２７】
次に、本考案の第３実施形態に係る動物情報特定部用ホルダについて、図面を参照して説明する。なお、以下の説明では、第１実施形態に係る動物情報特定部用ホルダ１０の構成と重複する構成については同符号を付し、適宜、説明を省略する。
【００２８】
図５に示すように、第３実施形態に係る動物情報特定部用ホルダは、第１実施形態の動物情報特定部用ホルダ１０を基準にして構成されたものであり、ベース部１６Ａの第２領域部１６Ａ２の裏面に取り付けられている収容部（保持部）が取り除かれ、それに替わって挟持部２０が取り付けられたものである。この挟持部２０は、収容部１４（保持部１４Ａ１）とベース部１６Ａの第２領域部１６Ａ２の表面との間に挿入された動物情報特定部１２の端部をベース部１６Ａの裏面側に折り曲げ、この折り曲げた折曲部位１２Ａを挿入して保持するためのものである。
【００２９】
第３実施形態に係る動物情報特定部用ホルダによれば、ベース部１６Ａの第２領域部１６Ａ２の表面に取り付けられている収容部１４（保持部１４Ａ１）に、長めに形成された動物情報特定部１２が収容される。このとき、動物情報特定部１２は、収容部１４の保持部１４Ａ１とベース部１６Ａの第２領域部１６Ａ２の表面との間に差し込まれた状態になっている。そして、長めに形成された動物情報特定部１２の端部がベース部１６Ａの第２領域部１６Ａ２の裏面側に折り曲げられて、その折曲部位１２Ａが挟持部２０とベース部１６Ａの第２領域部１６Ａ２の裏面との間に差し込まれる。これにより、犬Ｄが動いた場合でも、動物情報特定部１２が収容部１４（保持部１４Ａ１）から脱落することを防止できる。
【符号の説明】
【００３０】
１０        動物情報特定部用ホルダ
１２        動物情報特定部
１４        収容部
１４Ａ１    保持部
１４Ａ２    保持部
１５        カバー部
１６        装着部  
１６Ａ      ベース部
１６Ｂ      結合部
１７        切口部
１８        首輪
２０        挟持部
Ｄ          犬（動物）
Ｍ          内部空間部
【図１】
0003153980.tif 000003
【図２】
0003153980.tif 000004
【図３】
0003153980.tif 000005
【図４】
0003153980.tif 000006
【図５】
0003153980.tif 000007